(57)【特許請求の範囲】
【請求項１】
店頭での売り上げデータや、商品の在庫データを管理し、該商品の在庫データを表示する液晶表示装置を持つ携帯端末装置であって、前記携帯端末装置内に設けられている各構成部品を制御するＣＰＵと、前記液晶表示装置周辺の温度を測定する温度測定用ＩＣと、前記液晶表示画面の輝度を自動的に制御する為に負電源を作成するＤＣ/ＤＣコンバータを設け、該ＤＣ/ＤＣコンバータに予め設定された液晶表示装置の動作温度が、規定範囲を越えて上昇したならば液晶駆動回路の電圧を下げ、また動作温度が規定範囲を越えて降下したときは、液晶駆動回路の電圧を上昇させ、携帯端末装置に設けられている液晶表示装置の輝度を調整することを特徴とする携帯端末装置。
【発明の詳細な説明】
【０００１】
【発明の属する技術分野】
本発明は携帯端末装置（以下、ハンディタ−ミナルという）に関し、詳しくはハンディタ−ミナルに設けられている表示装置としての液晶表示画面を動作環境（ハンディタ−ミナルを使用する温度の高、低）に即応させて液晶表示画面の輝度の調整をその時の使用環境に合わせて適切な輝度に調整させるものである。
【０００２】
【従来技術】
従来、ハンディタ−ミナルの表示装置として用いられている液晶表示装置の輝度調整方法は、ハンディタ−ミナル本体を構成する筐体の一部分に回転式のダイアルを設け、このダイアルを回転させるボリュ−ム方式かまたは、ハンディタ−ミナルを操作する為のキ−が配置されている部分に、輝度を調整する為のキ−を配置してこのキ−を操作することにより、輝度を適切なものに調整するデジタル方式が一般的に知られている。ダイアルを回転させるボリュ−ム方式の場合には、ハンディタ−ミナル本体を構成する筐体を防滴仕様で設計する場合に、構造が非常に複雑になり、使用者の手に持って操作する為に小型、軽量化を特徴とするハンディタ−ミナルの場合には、あまり有用な手段ではなかった。一方、キ−スイッチを操作することにより使用者にとって確認しやすいように、適切な輝度に調整するデジタル方式の場合には抵抗分圧方式を用いており、輝度は８段階程度に調整するものが一般的である。輝度の調整範囲が８段階では、ハンディタ−ミナルを使用するときの動作温度やハンディタ−ミナルを駆動させる為の電源電池の使用状態又は電源電池の残量（電源電池の電圧変動変化）の関係に関連して、液晶画面の輝度を細かく調整することが出来にくかった。
【０００３】
図３はハンディタ−ミナルに設けられている表示用ＬＣＤの輝度が温度の変化にどの位左右されるのかを実験した一般的なハンディタ−ミナルの構成を示した電気的ブロック図である。参照符号５０はＣＰＵであり、後述する構成部品にそれぞれ定められた指令の送信または各構成部品から送信されるデ−タを受信するものである。参照符号５１はＲＯＭであり、ハンディタ−ミナル本体を駆動させる為のプログラムや、表示用ＬＣＤ５２に必要なメッセ−ジ等を表示する為の指令を送信する。
【０００４】
参照符号５３は表示用ＬＣＤの輝度調整用可変抵抗であり、負電源発生回路５４によって発生させた電圧を輝度調整用可変抵抗５３を介すことにより、液晶駆動電圧として表示用ＬＣＤ５２に印加して輝度を持たせる。参照符号５５はプリンタであり、ハンディタ−ミナル本体に設けられているＲＡＭ５６に蓄積されたデ−タをプリンタ用紙（図示せず）に印字するためのものである。参照符号５７はＲＳ−２３２Ｃケ−ブル（図示せず）を接続する為の端子であり、ハンディタ−ミナル本体に蓄積したデ−タを別に設けたホストコンピュ−タ（図示せず）に送信する場合に使用する。
【０００５】
参照符号５８はキ−入力部であり、ハンディタ−ミナルに商品の在庫デ−タや数値デ−タが入力できるようにテンキ−や各種ファンクションキ−が配置されている。また、商品の在庫デ−タや数値デ−タを入力する際に、バ−コ−ドデ−タを入力する場合には、バ−コ−ドインタフェ−ス５９にバ−コ−ドスキャナ（図示せず）を接続して対応することができる。参照符号６０はメイン電池であり、ニッケル−カドミウム電池やリチウム−イオン電池が使用され、ハンディタ−ミナルを構成する各部分に電源を供給する。参照符号６１はサブ電池で主にリチウム電池が使用され、上記したメイン電池をＯＦＦにした後でも機能させなくてはならないカレンダ機能６２を機能させる為のものである。
【０００６】
実験の為に上記した構成のハンディタ−ミナルを温度の可変できる恒温装に入れ、５℃毎に温度を変化させ表示用ＬＣＤ５２の変化を観察した。表示用ＬＣＤ５２は温度を５℃変化させてもあまり輝度が変化しないことが確認できた為に１０℃毎にしきい値を設定した。次ぎに温度変化に伴う表示用ＬＣＤ５２の輝度変化の補正値を決める為に、図３に示した回路を恒温装にて温度を変化させる実験を行った。１０℃毎に温度を変化させ、液晶駆動電圧に付いているボリュ−ムを可変し、表示用ＬＣＤ５２が適正な表示状態になるように液晶駆動電圧を調整した。その結果、表示用ＬＣＤ５２の動作温度と液晶駆動電圧の関係を表１に示す結果を得た。
【０００７】
【表１】
【０００８】
【発明が解決しようとする課題】
しかし上記した従来の方式では、ハンディタ−ミナルを使用している操作者が、表示用ＬＣＤを確認して明るすぎれば少し暗くなるように、または暗すぎれば少し明るくなるように操作者自身が自分で輝度を調整して使用しなくてはならなかった。この場合、表示用ＬＣＤが暗すぎると表示状態が確認しにくい為、操作者はハンディタ−ミナル本体の電源がＯＮ、ＯＦＦのどちらか判断が付きにくいという不具合も発生しており、この表示用ＬＣＤの輝度調整は表示状態が悪くなってからしか対処できなかった為に、対応が後手になってしまうという問題があった。
【０００９】
【課題を解決するための手段】
本発明は如上の問題点に鑑みなされたもので、店頭での売り上げデータや、商品の在庫データを管理し、該商品の在庫データを表示する液晶表示装置を持つ携帯端末装置であって、前記携帯端末装置内に設けられている各構成部品を制御するＣＰＵと、前記液晶表示装置周辺の温度を測定する温度測定用ＩＣと、前記液晶表示画面の輝度を自動的に制御する為に負電源を作成するＤＣ/ＤＣコンバータを設け、該ＤＣ/ＤＣコンバータに予め設定された液晶表示装置の動作温度が、規定範囲を越えて上昇したならば液晶駆動回路の電圧を下げ、また動作温度が規定範囲を越えて降下したときは、液晶駆動回路の電圧を上昇させ、携帯端末装置に設けられている液晶表示装置の輝度を調整する携帯端末装置を提案するものである。
【００１０】
【発明の実施の形態】
表示用ＬＣＤの表示状態は、表示用ＬＣＤの周辺の温度と印加する電圧によることを利用する。一般的に表示用ＬＣＤの輝度は、使用する場所での温度が高くなると輝度は明るくなり、温度が低くなると輝度は暗くなる。また、表示用ＬＣＤの液晶駆動用の電圧を高くすると輝度は明るくなり、反対に液晶駆動用の電圧を低くすると輝度は暗くなる。本発明では、ハンディタ−ミナル本体に設けられている制御用基板に表示用ＬＣＤの温度を測定するＩＣを搭載し、温度がある規定範囲を越えて上昇したならば液晶駆動回路の電圧を下げ、温度が有る規定範囲を越えて下降したならば液晶駆動回路の電圧を上昇させる。
【００１１】
【実施例】
以下、本発明の詳細を添付図面を参照して説明する。尚、本実施例では表示用ＬＣＤの周辺の温度を測定し、この温度を液晶そのものの温度として代用する。次に本発明の詳細を図１を基にして説明する。最初に各構成部品の説明を行う。参照符号１は、本発明の表示用ＬＣＤ４の輝度を自動的に調整する機能を持ったハンディタ−ミナルである。参照符号２はＣＰＵであり、後述する各構成部品に動作の指令等を送信する。３は温度測定用ＩＣであり、表示用ＬＣＤ４の温度を測定する為に設けられている。参照符号５はＲＯＭであり、ハンディタ−ミナル１の操作者（図示せず）に対する各種メッセ−ジに関するデ−タが格納されており、メッセ−ジは上記した表示用ＬＣＤ４に表示する。
【００１２】
参照符号６はプリンタであり、ＲＡＭ７に格納したデ−タ（現場で収集してきた商品の在庫デ−タや、商品の注文デ−タ等）をプリンタ用紙（図示せず）に印字する。参照符号８はＲＳ−２３２Ｃケ−ブル端子であり、上記したように作業現場で収集してきたデ−タを別に設けたホストコンピュ−タ（図示せず）に送信する場合に使用する。参照符号９はキ−入力装置で、各種キ−が配置されている。参照符号１０はバ−コ−ドインタフェイスであり、図示しないバ−コ−ドスキャナを接続する場合に使用する。参照符号１１はメイン電池でありニッケル−カドミウム電池やリチウム−イオン電池が主に使用され、ハンディタ−ミナル１を構成している上述した各部品に電源を供給する。参照符号１２はサブ電池であり主にリチウム電池が使用され、カレンダ機能等の機能を保持する。
【００１３】
図１、図２を使用して本発明の動作の説明をする。始めに図示しない操作者が、キ−入力部９に設けられている電源スイッチ（図示せず）をＯＮの状態にする。この状態になると、ハンディタ−ミナル１の各構成部品に電源が供給され、ＣＰＵ２の指令によりＲＯＭ５に格納されている起動プログラムに従いハンディタ−ミナル１は起動した状態になる。次にＣＰＵ２の指令により温度測定用ＩＣ３が表示用ＬＣＤ４の輝度を適正にする為に、ＣＰＵ２に接続するＡ／Ｄコンバ−タに接続し、表示用ＬＣＤ４の温度を小数点１位迄測定する。この測定した値を一度ＣＰＵ２に格納し、ＣＰＵ２はこの温度を負電源を作成する為にＤＣ／ＤＣコンバ−タ１４に送信する。このＤＣ／ＤＣコンバ−タ１４（ＬＴ１３０１、リニアテクノロジ−株式会社製）は、制御用の入力端子を＋５Ｖから０Ｖ（本実施例のハンディタ−ミナルに使用されている構成部品を動作させるのに掛かる電圧は最高で＋５Ｖ迄である。）まで可変すると、出力端子は−４Ｖから−２９Ｖまで変更することができる専用のＩＣである。
【００１４】
図２に示したＣＰＵ２に内蔵されている８ビットの出力端子で、＋５Ｖから０Ｖまでを２５６段階で任意の値をプログラムで設定し、それに見合った出力電圧を発生することができる。図２に示した表示用ＬＣＤ４の動作温度と液晶駆動電圧の値に合うようにプログラムする。このプログラムによりハンディタ−ミナル１に設けられている表示用ＬＣＤ４の周囲温度に対応して液晶表示画面に加える駆動電圧を適正に制御することで表示用ＬＣＤ４の表示状態を自動的に一定の輝度を保つことが出来る回路が構成される。
【００１５】
実際の動作を図２を基にして、ハンディタ−ミナル１を室温＋２５℃で操作している時、＋１０℃の戸外に出たときのハンディタ−ミナル１を構成している各部の動作変化を具体的に説明する。まず、図１のＣＰＵ２が温度測定用のＩＣ３から表示用ＬＣＤ４周辺の温度を＋２５℃と認識する。＋２５℃の時の表示用ＬＣＤ４の駆動電圧は表１に示したように−１４．５Ｖであるから、ＣＰＵ２は予めプログラムで設定した値をＣＰＵ２に設けられているＤ／Ａコンバ−タ１５より出力し、ＤＣ／ＤＣコンバ−タ１４を制御して−１４．５Ｖの表示用ＬＣＤ４の駆動電圧を出力する。＋１０℃の戸外に出て瞬間的にハンディタ−ミナル１の表示用ＬＣＤ４周辺の温度が下がる訳ではないが、＋２４℃以下になるとＣＰＵ２が予め設定してあるプログラムに従い、ＤＣ／ＤＣコンバ−タ１４が−１５．０Ｖを出力するようにＤ／Ａコンバ−タ１５の値を制御する。
【００１６】
時間と共に外気温と同じ温度に表示用ＬＣＤ４の液晶温度が近づくが、＋１４℃になった時にＤＣ／ＤＣコンバ−タ１４が−１６．０Ｖを出力するように、Ｄ／Ａコンバ−タ１５の値を制御する。この動作を常時繰り返すことにより、表示用ＬＣＤ４の液晶輝度は、温度変化の影響を自動的に補正することができる。また、ハンディタ−ミナル１の使用する環境の温度が上昇した場合でも、上記した動作を繰り返すことにより駆動電圧が順次変化して液晶輝度を、適正（見易い）輝度に保つことができる。
【００１７】
【発明の効果】
本発明は以上のような構成となっているので、ハンディタ−ミナルの液晶表示画面の表示状態は温度変化に合わせて輝度調整をする煩わしさが無くなる事で、ハンディタ−ミナル本体に液晶表示画面の輝度調整用のボリュ−ムやキ−スイッチ等の操作をすることが不要になり、操作作業の単純化が図れた。また上記したような構造であるので、液晶表示画面の動作温度と液晶駆動電圧の関係をプログラムに置き換えたことにより、ハンディタ−ミナルの小型軽量化にも貢献できた。
【図面の簡単な説明】
【図１】  本発明の実施例
【図２】  液晶駆動電圧可変構成図
【図３】  従来例
【符号の説明】
１    ハンディタ−ミナル
２    ＣＰＵ
３    温度測定用ＩＣ
４    表示用ＬＣＤ
５    ＲＯＭ
６    プリンタ
７    ＲＡＭ
８    ＲＳ−２３２Ｃケ−ブル端子
９    キ−入力部
１０  バ−コ−ドインタフェ−ス
１１  メイン電池
１２  サブ電池
１３  カレンダ
１４  ＤＣ／ＤＣコンバ−タ
１５  Ｄ／Ａコンバ−タ
【図１】
0003680539.tif 000002
【図２】
0003680539.tif 000003
【図３】
0003680539.tif 000004